【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
外部電源の第１の電力端子と第２の電力端子との間にＡＣ電圧を出力する前記外部電源の前記第１の電力端子に接続される単一の入力端子と、
少なくとも１つの光源を含み、第１の負荷端子と第２の負荷端子とを有する負荷であって、前記第２の負荷端子は前記外部電源の前記第２の電力端子に接続され、前記負荷は前記第１の負荷端子と前記第２の負荷端子との間で負荷電圧を受け、前記第１の負荷端子と前記第２の負荷端子との間に負荷電流を流すことができる前記負荷の前記第１の負荷端子に接続される単一の出力端子とを有する電子コントローラであって、
選択的に、前記電子コントローラがＯＮ状態にある場合前記負荷に給電し、前記電子コントローラがＯＦＦ状態にある場合前記負荷を無効化するよう、前記負荷電圧及び前記負荷電流の少なくとも１つを制御する前記電子コントローラと、
ブリーダ回路と、前記電子コントローラの前記出力端子と前記外部電源の前記第２の電力端子との間に前記ブリーダ回路を選択的に接続するスイッチング装置とを含む分流器デバイスと、
を含むシステムであって、
前記スイッチング装置は、前記電子コントローラがＯＦＦ状態にあって前記負荷がパワーオフの場合、前記電子コントローラの前記出力端子と前記外部電源の前記第２の電力端子との間に前記ブリーダ回路を接続して、前記電子コントローラの前記出力端子と前記外部電源の前記第２の電力端子との間に電流経路を提供し、
前記スイッチング装置は、更に、前記電子コントローラがＯＮ状態にあって前記負荷がパワーオンの場合、前記電子コントローラの前記出力端子と前記外部電源の前記第２の電力端子との間で前記ブリーダ回路を切断する、システム。
【請求項２】
前記スイッチング装置は、
前記ブリーダ回路に直列なスイッチと、
前記第１の負荷端子と前記第２の負荷端子との間に接続される電圧測定デバイスとを含み、前記電圧測定デバイスは、前記負荷電圧を測定し、前記電子コントローラがＯＦＦ状態にある間に測定された前記負荷電圧が閾値電圧より低い場合、前記スイッチを閉じて、前記電子コントローラの前記出力端子と前記外部電源の前記第２の電力端子との間に前記ブリーダ回路を接続し、前記電子コントローラの前記出力端子と前記外部電源の前記第２の電力端子との間に前記電流経路を提供し、前記コントローラがＯＮ状態にある間に前記測定された負荷電圧が前記閾値電圧を超える場合、前記スイッチを制御して開かせ、前記電子コントローラの前記出力端子と前記外部電源の前記第２の電力端子との間で前記ブリーダ回路を切断する、請求項１に記載のシステム。
【請求項３】
前記スイッチング装置は、
前記ブリーダ回路に直列なスイッチと、
前記負荷電流を測定する電流測定デバイスとを含み、前記電流測定デバイスは、測定された前記負荷電流が閾値電流より低い場合、前記スイッチを閉じて、前記電子コントローラの前記出力端子と前記外部電源の前記第２の電力端子との間に前記ブリーダ回路を接続し、前記電子コントローラの前記出力端子と前記外部電源の前記第２の電力端子との間に前記電流経路を提供し、前記測定された負荷電流が前記閾値電流を超える場合、前記スイッチを制御して開かせ、前記電子コントローラの前記出力端子と前記外部電源の前記第２の電力端子との間で前記ブリーダ回路を切断する、請求項１に記載のシステム。
【請求項４】
前記電流測定デバイスは、前記電子コントローラの前記出力端子と前記第１の負荷端子との間に接続される、請求項３に記載のシステム。
【請求項５】
前記電流測定デバイスは、前記第２の負荷端子と前記外部電源の前記第２の電力端子との間に接続される、請求項３に記載のシステム。
【請求項６】
前記電子コントローラは、前記負荷に供給される電力の量を調整するための調光回路を含む、請求項１に記載のシステム。
【請求項７】
前記電子コントローラは、無線信号を受信する無線受信機を含み、前記無線信号に応じて前記負荷に供給される電力の量を制御する、請求項１に記載のシステム。
【請求項８】
前記外部電源の前記第２の電力端子は前記負荷に直接接続される、請求項１に記載のシステム。
【請求項９】
前記外部電源の前記第２の電力端子は、前記スイッチング装置を介して前記負荷に接続される、請求項１に記載のシステム。
【請求項１０】
前記電子コントローラは、前記第２の電力端子への接続が供給されていない位置で建物内に取り付けられ、前記分流器デバイスは、前記電子コントローラから分離されて少なくとも１フィート離れている、請求項１に記載のシステム。
【請求項１１】
前記電子コントローラが前記ＯＦＦ状態から前記ＯＮ状態に移行するとき、前記スイッチング装置は、少なくとも１００ｍｓの遅延の後、前記電子コントローラの前記出力端子と前記外部電源の前記第２の電力端子との間で前記ブリーダ回路を切断する、請求項１に記載のシステム。
【請求項１２】
外部電源の第１の電力端子と第２の電力端子との間でＡＣ電圧を出力する前記外部電源から、第１及び第２の負荷端子を有する負荷であって、前記第１の負荷端子と前記第２の負荷端子との間で負荷電圧を受け、前記第１の負荷端子と前記第２の負荷端子との間に電流を流すことができる前記負荷に電力を供給する方法であって、
選択的に前記負荷に給電及び前記負荷を無効化するよう前記負荷電圧及び前記負荷電流のうちの少なくとも１つを制御するコントローラに対して、前記コントローラがＯＦＦ状態にあって前記負荷がパワーオフの場合、前記コントローラの出力端子と前記外部電源の前記第２の電力端子との間にブリーダ回路を接続して、前記ブリーダ回路が前記コントローラの前記出力端子と前記外部電源の前記第２の電力端子との間に電流経路を提供するステップと、
前記コントローラがＯＮ状態にあって前記負荷がパワーオンの場合、前記コントローラの前記出力端子と前記外部電源の前記第２の電力端子との間で前記ブリーダ回路を切断するステップと
を含む、方法。
【請求項１３】
前記負荷電圧を測定するステップと、
測定された前記負荷電圧を閾値電圧と比較するステップと、
前記測定された負荷電圧が前記閾値電圧より低い場合、前記コントローラの前記出力端子と前記外部電源の前記第２の電力端子との間に前記ブリーダ回路を接続するステップと、
前記測定された負荷電圧が前記閾値電圧を超える場合、前記コントローラの前記出力端子と前記外部電源の前記第２の電力端子との間で前記ブリーダ回路を切断するステップと
を更に含む、請求項１２に記載の方法。
【請求項１４】
前記負荷電流を測定するステップと、
測定された前記負荷電流を閾値電流と比較するステップと、
前記測定された電流が前記閾値電流より低い場合、前記コントローラの前記出力端子と前記外部電源の前記第２の電力端子との間に前記ブリーダ回路を接続するステップと、
前記測定された電流が前記閾値電流を超える場合、前記コントローラの前記出力端子と前記外部電源の前記第２の電力端子との間で前記ブリーダ回路を切断するステップと
を更に含む、請求項１２に記載の方法。
【請求項１５】
前記コントローラは、前記第２の電力端子への接続が供給されていない位置で建物内に取り付けられ、前記ブリーダ回路は、前記コントローラから分離されて少なくとも１フィート離れている、請求項１２に記載の方法。
【請求項１６】
前記コントローラがＯＮ状態にあるとき、前記コントローラの前記出力端子と前記外部電源の前記第２の電力端子との間で前記ブリーダ回路を切断する前記ステップは、前記コントローラが前記ＯＦＦ状態から前記ＯＮ状態に移行するとき、１００ｍｓの遅延の後、前記コントローラの前記出力端子と前記外部電源の前記第２の電力端子との間で前記ブリーダ回路を切断するステップを含む、請求項１２に記載の方法。
【請求項１７】
外部電源の第１の電力端子と第２の電力端子との間でＡＣ電圧を出力する前記外部電源の前記第１の電力端子に接続される単一の入力端子を有するコントローラの出力端子に接続されるデバイスであって、
ブリーダ回路と、
前記コントローラが負荷に給電しているか又は前記負荷を無効化しているかを検出するスイッチング装置と
を含み、
前記スイッチング装置は、前記コントローラがＯＦＦ状態にあって前記負荷がパワーオフの場合、前記コントローラの前記出力端子と前記外部電源の前記第２の電力端子との間に前記ブリーダ回路を接続して、前記ブリーダ回路は、前記コントローラの前記出力端子と前記外部電源の前記第２の電力端子との間に電流経路を提供し、
前記スイッチング装置は、前記コントローラがＯＮ状態にあって前記負荷がパワーオンの場合、前記コントローラの前記出力端子と前記外部電源の前記第２の電力端子との間で前記ブリーダ回路を切断する、デバイス。
【請求項１８】
前記スイッチング装置は、
前記ブリーダ回路に直列なスイッチと、
前記負荷の前記第１の負荷端子と前記第２の負荷端子との間に接続される電圧測定デバイスとを含み、前記電圧測定デバイスは、前記負荷電圧を測定し、測定された前記負荷電圧が閾値電圧より低い場合、前記スイッチを閉じて、前記コントローラの前記出力端子と前記外部電源の前記第２の電力端子との間に前記ブリーダ回路を接続して、前記コントローラの前記出力端子と前記外部電源の前記第２の電力端子との間に前記電流経路を提供し、前記測定された負荷電圧が前記閾値電圧を超える場合、前記スイッチを制御して開かせ、前記電子コントローラの前記出力端子と前記外部電源の前記第２の電力端子との間で前記ブリーダ回路を切断する、請求項１７に記載のデバイス。
【請求項１９】
前記スイッチング装置は、
前記ブリーダ回路に直列なスイッチと、
前記負荷電流を測定するために接続された電流測定デバイスとを含み、前記電流測定デバイスは、測定された前記負荷電流が閾値電流より低い場合、前記スイッチを閉じて、前記コントローラの前記出力端子と前記外部電源の前記第２の電力端子との間に前記ブリーダ回路を接続して、前記コントローラの前記出力端子と前記外部電源の前記第２の電力端子との間に前記電流経路を提供し、前記測定された負荷電流が前記閾値電流を超える場合、前記スイッチを制御して開かせ、前記電子コントローラの前記出力端子と前記外部電源の前記第２の電力端子との間で前記ブリーダ回路を切断する、請求項１７に記載のデバイス。
【請求項２０】
前記スイッチング装置は、前記外部電源の前記第２の電力端子を前記負荷に接続させる、請求項１７に記載のデバイス。
【請求項２１】
前記ブリーダ回路は抵抗器からなる、請求項１７に記載のデバイス。
【請求項２２】
前記コントローラは、前記第２の電力端子への接続が供給されていない位置で建物内に取り付けられ、前記ブリーダ回路は、前記コントローラから分離されて少なくとも１フィート離れている、請求項１７に記載のデバイス。
【請求項２３】
前記コントローラが前記ＯＦＦ状態から前記ＯＮ状態に移行するとき、前記スイッチング装置は、１００ｍｓの遅延の後、前記コントローラの前記出力端子と前記外部電源の前記第２の電力端子との間で前記ブリーダ回路を切断する、請求項１７に記載のデバイス。